【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
テープ状の磁気記録媒体であって、
基体と、前記基体上に設けられた下地層と、前記下地層上に設けられ、磁性粉を含む磁性層とを備え、
前記磁気記録媒体は、潤滑剤を含み、
前記基体は、ポリエステルを含み、
前記磁気記録媒体の平均厚みは、５．２μｍ以下であり、
前記磁性層の表面には、前記磁性層の平均厚みの２０％以上に相当する深さを有する複数の凹部が設けられ、且つ、前記磁性層の表面の単位面積１６００μｍ２あたりの前記凹部の個数が、２０個以上２００個以下であり、
真空中における前記磁性層の表面における、単位領域１２．５μｍ×９．３μｍあたりの潤滑剤染み出し量が、３．０μｍ２以上６．５μｍ２以下である磁気記録媒体。
【請求項２】
前記潤滑剤は、脂肪酸と脂肪酸エステルを含む請求項１に記載の磁気記録媒体。
【請求項３】
前記磁性層の表面の算術平均粗さＲａは、２．５ｎｍ以下である請求項１に記載の磁気記録媒体。
【請求項４】
前記磁性層の表面の単位面積１６００μｍ２あたりの前記凹部の個数が、８０個以上１８０個以下である請求項１に記載の磁気記録媒体。
【請求項５】
真空中における前記磁性層の表面における、前記単位領域１２．５μｍ×９．３μｍあたりの潤滑剤染み出し量が、３．５μｍ２以上６．５μｍ２以下である請求項１に記載の磁気記録媒体。
【請求項６】
前記磁気記録媒体に全面記録／全面再生を２回行った後の動摩擦係数μＢと、前記全面記録／全面再生を行う前の動摩擦係数μＡとの摩擦係数比（μＢ／μＡ）は、２．０未満である請求項１に記載の磁気記録媒体。
【請求項７】
前記磁気記録媒体の垂直方向における前記磁性層の角形比は、６５％以上である請求項１に記載の磁気記録媒体。
【請求項８】
前記磁気記録媒体の垂直方向における前記磁性層の角形比は、７０％以上である請求項１に記載の磁気記録媒体。
【請求項９】
前記磁性層の平均厚みは、８０ｎｍ以下である請求項１に記載の磁気記録媒体。
【請求項１０】
前記磁性層は、５以上のサーボバンドを有する請求項１に記載の磁気記録媒体。
【請求項１１】
前記表面の面積に対する前記サーボバンドの総面積の割合は、４．０％以下である請求項１０に記載の磁気記録媒体。
【請求項１２】
前記サーボバンドの幅は、９５μｍ以下である請求項１０に記載の磁気記録媒体。
【請求項１３】
前記磁性層は、複数のデータトラックを形成可能に構成され、
前記データトラックの幅は、２０００ｎｍ以下である請求項１に記載の磁気記録媒体。
【請求項１４】
前記磁性層は、磁化反転間距離Ｌの最小値が４８ｎｍ以下となるようにデータを記録可能に構成されている請求項１に記載の磁気記録媒体。
【請求項１５】
前記基体の平均厚みは、４．２μｍ以下である請求項１に記載の磁気記録媒体。
【請求項１６】
前記磁性粉は、六方晶フェライト、ε酸化鉄またはＣｏ含有スピネルフェライトを含む請求項１に記載の磁気記録媒体。
【請求項１７】
前記基体の平均厚みは、３．８μｍ以下である請求項１に記載の磁気記録媒体。
【請求項１８】
前記基体の平均厚みは、３．４μｍ以下である請求項１に記載の磁気記録媒体。
【請求項１９】
前記磁性層の平均厚みは、７０ｎｍ以下である請求項１に記載の磁気記録媒体。
【請求項２０】
前記磁性層の平均厚みは、５０ｎｍ以下である請求項１に記載の磁気記録媒体。
【請求項２１】
前記磁性粉の平均粒子サイズは、１２ｎｍ以上２５ｎｍ以下である請求項１に記載の磁気記録媒体。
【請求項２２】
前記磁性粉の平均粒子サイズは、１５ｎｍ以上２２ｎｍ以下である請求項１に記載の磁気記録媒体。
【請求項２３】
前記磁性粉の平均粒子サイズは、１５ｎｍ以上１８ｎｍ以下である請求項１に記載の磁気記録媒体。
【請求項２４】
前記磁性粉の平均アスペクト比が、１．０以上２．５以下である請求項１に記載の磁気記録媒体。
【請求項２５】
前記磁性粉の平均アスペクト比が、１．０以上２．１以下である請求項１に記載の磁気記録媒体。
【請求項２６】
前記磁性粉の平均アスペクト比が、１．０以上１．８以下である請求項１に記載の磁気記録媒体。
【請求項２７】
前記磁性粉の平均粒子体積は、１８００ｎｍ３以下である請求項１に記載の磁気記録媒体。
【請求項２８】
前記磁性粉の平均粒子体積は、１５００ｎｍ３以下である請求項１に記載の磁気記録媒体。
【請求項２９】
前記磁気記録媒体の平均厚みは、５．０μｍ以下である請求項１に記載の磁気記録媒体。
【請求項３０】
前記磁気記録媒体の平均厚みは、４．６μｍ以下である請求項１に記載の磁気記録媒体。
【請求項３１】
前記磁気記録媒体の平均厚みは、４．４μｍ以下である請求項１に記載の磁気記録媒体。
【請求項３２】
前記磁気記録媒体の垂直方向における前記磁性層の角形比は、７５％以上である請求項１に記載の磁気記録媒体。
【請求項３３】
前記磁気記録媒体の垂直方向における前記磁性層の角形比は、８０％以上である請求項１に記載の磁気記録媒体。
【請求項３４】
前記磁気記録媒体の垂直方向における前記磁性層の角形比は、８５％以上である請求項１に記載の磁気記録媒体。
【請求項３５】
前記基体の長手方向のヤング率は、７．５ＧＰａ以下である請求項１に記載の磁気記録媒体。
【請求項３６】
前記基体の長手方向のヤング率は、７．０ＧＰａ以下である請求項１に記載の磁気記録媒体。
【請求項３７】
前記基体の長手方向のヤング率は、６．６ＧＰａ以下である請求項１に記載の磁気記録媒体。
【請求項３８】
前記磁気記録媒体を回転させて磁化量を測定したときの磁化量の最大値を基準としたときの前記磁性層の上面に対して垂直な垂直方向における磁化量の割合と、前記上面に平行な長手方向における前記磁性層の角形比との積の絶対値が、５００以上２５００以下である請求項１に記載の磁気記録媒体。
【請求項３９】
請求項１から３８のいずれかに記載された磁気記録媒体と、
カートリッジケースと、
メモリと
を備えるカートリッジ。
【請求項４０】
前記メモリには、管理台帳データ、Index情報、または前記磁気記録媒体に記憶された動画のサムネイル情報が書き込まれる請求項３９に記載のカートリッジ。
【請求項４１】
請求項１から３８のいずれかに記載された磁気記録媒体の記録および再生をする記録再生装置。
【手続補正２】
【補正対象書類名】明細書
【補正対象項目名】発明の名称
【補正方法】変更
【補正の内容】
【発明の名称】磁気記録媒体、カートリッジおよび記録再生装置
【手続補正３】
【補正対象書類名】明細書
【補正対象項目名】０００１
【補正方法】変更
【補正の内容】
【０００１】
本開示は、磁気記録媒体、それを備えるカートリッジおよびそれを記録および再生する記録再生装置に関する。
【手続補正４】
【補正対象書類名】明細書
【補正対象項目名】０００５
【補正方法】変更
【補正の内容】
【０００５】
本開示の目的は、良好な電磁変換特性を得ることができると共に、繰り返し記録または再生を行った後にも、動摩擦係数の増加を抑制することができる磁気記録媒体、それを備えるカートリッジおよびそれを記録および再生する記録再生装置を提供することにある。
【手続補正５】
【補正対象書類名】明細書
【補正対象項目名】０００６
【補正方法】変更
【補正の内容】
【０００６】
上述の課題を解決するために、第１の開示は、
テープ状の磁気記録媒体であって、
基体と、基体上に設けられた下地層と、下地層上に設けられ、磁性粉を含む磁性層とを備え、
磁気記録媒体は、潤滑剤を含み、
基体は、ポリエステルを含み、
磁気記録媒体の平均厚みは、５．６μｍ以下であり、
磁性層の表面には、磁性層の平均厚みの２０％以上に相当する深さを有する複数の凹部が設けられ、且つ、磁性層の表面の単位面積１６００μｍ２あたりの凹部の個数が、２０個以上２００個以下であり、
真空中における磁性層の表面における、単位領域１２．５μｍ×９．３μｍあたりの潤滑剤染み出し量が、３．０μｍ２以上６．５μｍ２以下である磁気記録媒体である。
【手続補正６】
【補正対象書類名】明細書
【補正対象項目名】０００８
【補正方法】変更
【補正の内容】
【０００８】
第２の開示は、第1の開示の磁気記録媒体と、カートリッジケースと、メモリとを備えるカートリッジである。
第３の開示は、第１の開示の磁気記録媒体の記録および再生をする記録再生装置である。